【手続補正書】
【提出日】平成19年7月12日(2007.7.12)
【手続補正１】
【補正対象書類名】特許請求の範囲
【補正対象項目名】請求項１
【補正方法】変更
【補正の内容】
【請求項１】
回転ディスク（112）の上面に配置した区分け凹部（138）にコイン（110）を保持して１つずつ区分けした後、コイン搬送装置（104）に受け渡すようにしたコイン処理装置において、
前記区分け凹部（138）の一部を形成し、かつ、前記回転ディスクの直径方向に移動可能な移動体（116）を設け、
前記コイン搬送装置への受け渡し時に前記移動体を前記回転ディスクの直径方向に移動するようにしたコイン処理装置のコイン送り出し装置。
【手続補正２】
【補正対象書類名】特許請求の範囲
【補正対象項目名】請求項２
【補正方法】変更
【補正の内容】
【請求項２】
前記回転ディスクの前記区分け凹部が前記回転ディスクの上面側が開放され、かつ、前記回転ディスクの周面側に開口した扇形であって、かつ、その一部にコイン押進部（128）を有し、前記移動体は、コイン受け入れ時に前記押進部の側方に位置し、かつ、コイン受け渡し時に前記周面開口側に移動される請求項１のコイン処理装置のコイン送り出し装置。
【手続補正３】
【補正対象書類名】特許請求の範囲
【補正対象項目名】請求項４
【補正方法】変更
【補正の内容】
【請求項４】
軸線が所定の角度で傾斜された回転ディスク、
前記回転ディスクの上向面に上側及び周面側が開口し、少なくとも最小径コイン１つが位置し、かつ最小径コイン２つが位置不能な区分け凹部と、
前記回転ディスクの凹部にピボット運動可能に取り付けられ、前記区分け凹部の側部に位置する受け入れ位置と前記開口側に移動した移動位置に移動可能な移動体と、
前記移動体に取り付けられた被動体と、
前記回転ディスクの下側に配置され、かつ、前記被動体を受け入れる溝とを含むコイン送り出し装置。
【手続補正４】
【補正対象書類名】特許請求の範囲
【補正対象項目名】請求項５
【補正方法】変更
【補正の内容】
【請求項５】
前記移動体が、前記被動体よりも前記回転ディスクの周縁側に配置されたピボット軸（134）に取り付けられている請求項４に記載のコイン送り出し装置。
【手続補正５】
【補正対象書類名】明細書
【補正対象項目名】０００６
【補正方法】変更
【補正の内容】
【０００６】
この目的を達成するため、請求項１の発明にかかるコイン送り出し装置は次のように構成されている。
回転ディスクの上面に配置した区分け凹部にコインを保持して１つずつ区分けした後、コイン搬送装置に受け渡すようにしたコイン処理装置において、前記区分け凹部の一部を形成し、かつ、前記回転ディスクの直径方向に移動可能な移動体を設け、前記コイン搬送装置への受け渡し時に前記移動体を前記回転ディスクの直径方向に移動するようにしたコイン処理装置のコイン送り出し装置である。
【手続補正６】
【補正対象書類名】明細書
【補正対象項目名】０００８
【補正方法】変更
【補正の内容】
【０００８】
請求項２の発明は請求項１の発明において、前記回転ディスクの前記区分け凹部が前記回転ディスクの上面側が開放され、かつ、前記回転ディスクの周面側に開口した扇形であって、かつ、その一部にコイン押進部を有し、前記移動体は、コイン受け入れ時に前記押進部の側方に位置し、かつ、コイン受け渡し時に前記周面開口側に移動される請求項１のコイン処理装置のコイン送り出し装置である。
【手続補正７】
【補正対象書類名】明細書
【補正対象項目名】００１５
【補正方法】変更
【補正の内容】
【００１５】
この構成において、移動体が、被動体よりも回転ディスクの周縁側に配置されたピボット軸に取り付けられているので、被動体は回転ディスクの回転後位側において溝カムに位置する。
換言すれば、ピボット軸が被動体に先行して移動されるため、被動体はピボット軸に対しトレーリングの位置関係で溝カムによって移動される。
したがって、被動体に対し大きな力が加わらないのでコイン送り出し装置を小型化できると共に安価に作ることができる利点がある。
【手続補正８】
【補正対象書類名】明細書
【補正対象項目名】００２１
【補正方法】変更
【補正の内容】
【００２１】
まず、回転ディスク112を説明する。
回転ディスク112は、多数のコインを攪拌し、後述の区分け凹部138にコイン110を一つずつ受け入れて区分けする機能を有する。
回転ディスク112は、円板形であって、かつ、その回転軸線118が所定角度傾斜して配置され、上向き面120を有している。
【手続補正９】
【補正対象書類名】明細書
【補正対象項目名】００３１
【補正方法】変更
【補正の内容】
【００３１】
まず、被動体154を説明する。
回転ディスク112に、ピボット軸134を中心に弧状の通孔148が形成され、移動体116の中間に固定されたピン150が、この通孔148に貫通されている。ピン150の下端にはローラ152が回転自在に取り付けられている。
このローラ152が被動体154である。
【手続補正１０】
【補正対象書類名】明細書
【補正対象項目名】００３９
【補正方法】変更
【補正の内容】
【００３９】
次ぎにコイン搬送装置104を説明する。
コイン搬送装置104は、コイン送り出し装置102から一つずつ送り出されるコイン110を受け取り、所定のコイン処理装置、例えばコイン選別装置に搬送する機能を有する。
コイン搬送装置104は、エンドレス進行体163及びエンドレス進行体163に所定の間隔で取り付けたピン167を含んでいる。
【手続補正１１】
【補正対象書類名】明細書
【補正対象項目名】００４０
【補正方法】変更
【補正の内容】
【００４０】
エンドレス進行体163は、撓むことが可能なループ体であり、本実施例では所定長のチェーン169である。
しかし、エンドレス進行体163はベルトに変更することができる。
エンドレス進行体163は、複数のスプロケットによりガイドされ、L形のループ経路を循環する。
【手続補正１２】
【補正対象書類名】明細書
【補正対象項目名】００４２
【補正方法】変更
【補正の内容】
【００４２】
ピン167はコイン送り出し装置102から送り出されるコイン110を一つずつフックするよう所定の間隔でエンドレス進行体163の側面に固定されている。
したがって、スプロケット168と回転ディスク112が連動回転する。
【手続補正１３】
【補正対象書類名】明細書
【補正対象項目名】００４４
【補正方法】変更
【補正の内容】
【００４４】
したがって、回転ディスク112とスプロケット168とは所定の速度比で回転及び移動する。
換言すれば、区分け凹部138とピン167とが対応して運動する。
なお、回転ディスク112の突部122の外側の周縁に、移動体116からピン167へのコイン110の受け渡しが円滑に行われるようノッチ181が形成され、ピン167がノッチ181に進入することができる。  
【手続補正１４】
【補正対象書類名】明細書
【補正対象項目名】００４５
【補正方法】変更
【補正の内容】
【００４５】
スプロケット168近傍のエンドレス進行体163に沿って板状の第１コインガイド182が配置され、第１選別部170に沿って第２コインガイド184が配置され、第２選別部172に沿って第３コインガイド186が配置されている。
したがって、ピン167にフックされたコイン110は、これらコインガイド182、184、186に案内されつつエンドレス進行体163によって所定位置へ移動される。
【手続補正１５】
【補正対象書類名】明細書
【補正対象項目名】００５０
【補正方法】変更
【補正の内容】
【００５０】
したがって、最小径コイン110Ｓは、区分け凹部138に一枚のみが保持される。
区分け凹部138に保持されたコイン110は、回転ディスク112の回転によりコイン搬送装置104側へ移動される。
換言すれば、コイン110は、下方から上方へ移動される。
【手続補正１６】
【補正対象書類名】明細書
【補正対象項目名】００５２
【補正方法】変更
【補正の内容】
【００５２】
これにより、移動体116がピボット軸134を支点に時計方向にピボット運動される。
したがって、移動体116は、区分け凹部138に位置するコイン110を側方から回転ディスク112の直径方向に押すので、コイン110は区分け凹部138から押し出される。
【手続補正１７】
【補正対象書類名】明細書
【補正対象項目名】００５３
【補正方法】変更
【補正の内容】
【００５３】
そして、被動体154が移動溝162に位置した場合、移動体116は移動位置MPに移動されるので、コイン110は開口142を通過し、ピン167の移動経路へ押し出される。
押し出された直後、コイン110はピン167によって押され、第１コインガイド182、第２コインガイド184及び第３コインガイド186等によってガイドされつつ次の工程へ搬送される。
【手続補正１８】
【補正対象書類名】図面
【補正対象項目名】図１
【補正方法】変更
【補正の内容】
【図１】
2006031402.tif 000001
【手続補正１９】
【補正対象書類名】図面
【補正対象項目名】図２
【補正方法】変更
【補正の内容】
【図２】
2006031402.tif 000002
【手続補正２０】
【補正対象書類名】図面
【補正対象項目名】図４
【補正方法】変更
【補正の内容】
【図４】
2006031402.tif 000003
【手続補正２１】
【補正対象書類名】図面
【補正対象項目名】図５
【補正方法】変更
【補正の内容】
【図５】
2006031402.tif 000004